(57)【要約】      （修正有）【課題】血液バッグや照射線量の設定に係る操作者による誤操作に対応することが可能な放射線照射装置を提供する。【解決手段】血液バッグの厚みを検出するセンサ１０，１４と、検出された血液バッグの厚みに応じてトレイ２に配置された血液バッグに所定量の放射線が照射されるようにＸ線照射を制御するシーケンサ１５を備える。【選択図】図２
2007132723.tif 000002
【特許請求の範囲】
【請求項１】
被照射物に放射線を照射する放射線照射部と、
この放射照射部の放射線照射方向に設置され前記被照射物を配置するトレイ部と、
を備えた放射線照射物装置において、
前記被照射物の厚みを検出する検出手段と、
前記検出された被照射物の厚みに応じて、前記トレイ部に配置された被照射物に所定量の放射線が照射されるように、前記放射線照射部を制御する照射制御手段と、
を備えたことを特徴とする放射線照射装置。
【発明の詳細な説明】
【技術分野】
【０００１】
本発明は、輸血用血液を封入する血液バック等にX線またはγ線を含む放射線を照射する放射線照射装置に係り、特に血液バッグの厚みによる放射線照射量の補正の技術に関する。
【背景技術】
【０００２】
従来の二方向X線照射装置は、特許文献1に記載されたものがある。
このX線照射装置では、第一のX線管装置と、該X線管装置に対面して配置された試料面と、これらが組み込まれたX線を遮蔽する防護室とを具備しているX線照射装置において、第二のX線管装置が試料皿を中間にして第一のX線管装置と対面して防護室に組み込まれ、第二のX線管装置の陰極及び陽極が第一のX線管装置のそれらと互いに逆に配置されているようにすることにより両方のX線管装置によって、試料の両面からX線の照射をして、試料皿を回転させることなく、従来の装置よりも、少ない時間で均一な照射をなすことができるようにさせ、しかも大きな線量を必要とするときにも、入手しやすい小形のX線管によって、必要とする照射量を得ることができるようにさせたものである。
【特許文献１】実公平7-43679号公報
【発明の開示】
【発明が解決しようとする課題】
【０００３】
従来の二方向X線照射装置では、専用トレイ内の血流バッグの厚みの計測と厚みに応じた線量スイッチの選択は、操作者が行うものであり、選択された線量スイッチと実際に専用トレイ内に搭載された血液バッグの厚みとが適正か否かをチェックする機能が装置側に無いため、操作者の誤操作に対応することに配慮されていなかった。
【０００４】
そこで、本発明の目的は、血液バッグや照射線量の設定に係る操作者による誤操作に対応することが可能な放射線照射装置を提供することにある。
【課題を解決するための手段】
【０００５】
上記目的は、被照射物に放射線を照射する放射線照射部と、この放射照射部の放射線照射方向に設置され前記被照射物を配置するトレイ部とを備えた放射線照射物装置において、前記被照射物の厚みを検出する検出手段と、前記検出された被照射物の厚みに応じて、前記トレイ部に配置された被照射物に所定量の放射線が照射されるように、前記放射線照射部を制御する照射制御手段とを備えたことによって達成される。
【発明の効果】
【０００６】
本発明によれば、血液バッグの照射量の設定に係る操作者による誤操作に対応することができる。
【発明を実施するための最良の形態】
【０００７】
以下、本発明の実施例を添付図面に基づいて説明する。なお、発明の実施の形態を説明するための全図において、同一機能を有するものは同一符号を付け、その繰り返しの説明は省略する。
【０００８】
図1を使用して、血液バッグ厚検出機能付血液照射装置で使用する専用トレイ(以下、厚み検出機能用トレイとする。)の構造を説明する。厚み検出機能用トレイは、160mm厚以下の厚み検出機能用トレイ1と30mm厚以下の厚み検出機能用トレイ2の２種類準備する。これら、2種類の厚み検出機能用トレイの違いは、図1に示すとおり、厚みのみである。
【０００９】
以下、厚み検出用トレイの構造、材質を説明する。
厚み検出機能用トレイは、上蓋部4とトレイ部7に分かれている。上蓋部4は、A-A断面図に示すように外枠4aと蓋4bと外枠4cで構成され、蓋4bを上下の外枠で挟み込みねじ止めされている。
一方  トレイ部7は、円筒部7aと底板7bと外枠7cで構成され、上蓋4同様、円筒部7aと底枠7cに底板7bを挟み込んでねじ止めとしている。両者とも十分な強度が得られれば、ねじ止めではなく接着でも構わない。外枠4aと外枠4cと円筒部7aと底枠7cの材質は、放射線に十分耐えれるもので軽量な材質が望ましい。例えば、アルミや耐放射線性に優れたポリイミド系の樹脂が良い。アクリル材等も良い。蓋4bと底板7bは、X線吸収の少なく強度がある材質が良い。
【００１０】
本実施例においては、カーボン板とする。従来の専用トレイは、上蓋が無かったため、血液バッグ3のチューブ類3aが、しばしば専用トレイの外に、はみ出すことがあった。専用トレイの外側は、照射野外になる可能性があるため、厚み検出機能用トレイは、蓋付きとし、着実にトレイ内にチューブ類が納まるようにすることにした。また、血液バッグ3を何個か重ねて搭載する場合において、重ねた血液バッグのトータルの厚みが、トレイ7の厚みより少し厚い場合、血液バッグの一番厚い部位は、設定した線量が照射されない可能性がある。このため、必ず、血液バッグのトータルの厚みがトレイの厚み以内になるように上蓋4にロック機構5を設け、血液バッグを押さえつけられる構造としている。
【００１１】
本実施形態では、市販されているパチン錠を設けている。ロックが容易にできるように円筒部7には、位置決めピン6が設けてあり、上蓋部4にはピンに合わせて穴が開いている。これらを合わせることにより、ロック機構5の掛け金具5aの位置とロック部(図示しない)の位置を容易に合わせることができる。
【００１２】
次に図2を用いて血液バッグ厚検出機能について説明する。本発明は血液バッグ厚検出機能が主であるため、従来の二方向X線照射装置の構造、構成、機能、動作については、既に周知のため詳細は記載しない。
【００１３】
最初に、図2を使用して従来技術との違いを説明する。照射室内平面図略図において、X線照射野25内に30mm厚以下の厚み検出用トレイ2が配置される。従来技術同様、右側にフィルター駆動部12が付加され、フィルター駆動部ベース板12aにプローブ11と準備運転時のトレイ検出と30mm厚以下のトレイを検出するためのセンサ10(受光側)と60mm厚以下のトレイ1を検出するためのセンサ11(受光側)を付加する。センサ10１、センサ11の対面側には、投光側のセンサを配置する。ここでは、投光側、受光側の2つのセンサで1組であり、受光側に投光側の光が遮光された時にON信号を出力するセンサを採用しているが、1つのセンサで投光、受光を兼ね、反射光の光量の変化を検出する方式のセンサを採用しても良い。シーケンサ部14にはセンサの信号を受け取るための入力モジュール16を付加する。
【００１４】
また、CPUモジュール15にバッグ厚の判定を行うためのプログラムを付加する。プログラムの動作を以下に簡単に説明する。準備運転時にセンサ10、センサ11の両方かセンサ11のみONした場合は、準備運転は開始しない。照射時にセンサ10がONした場合は、30mm厚のトレイ2に血液バッグが搭載されたと判断する。また、センサ10と11の両方がONした場合は、60mm厚のトレイ1に血液バッグが搭載されたと判断する。更にCPUモジュール15の判定結果を元にフィルター駆動部12に動作信号を出力するための出力モジュール17を付加する。操作や各種状態を表示させるタッチパネル30を付加し、CPUモジュール15により、制御される。
【００１５】
本発明の動作例を図2を使用して説明する。厚み検出機能用トレイ2をテーブル20に搭載し、操作盤30または、テーブル搬出入用のフットスイッチやハンドスイッチを使用して、厚み検出専用トレイ2を照射室18の中に搬入する。図中のハッチング部は遮へい材を示す。本実施例では、遮へい材として鉛等を使用する。搬入が完了するとセンサ10とセンサ11の出力信号が入力モジュール16に入力される。
【００１６】
本一例では主に、30mm厚以下のトレイ1を搭載する場合の動作を記載する。搬入が完了した時に照射装置がX線管の準備運転モードの時は、センサ10aの投光器からの光が遮光されることにより、センサ10がONとなり、ON信号が、シーケンサ部15の入力モジュール16に入力され、CPUモジュール15に情報が伝達される。従来技術同様に、X線管の準備運転時に誤って血液バッグにX線が照射されないように準備運転時にセンサ10もしくはセンサ14を含む両方からON信号が出力された場合は、CPUモジュール15からタッチパネル30にてエラー表示をし、操作者に厚み検出トレイ2を取り出すようにメッセージを表示させる。準備運転が既に完了している場合は、厚み検出用トレイ2により、センサ15の投光器からの光が遮光されることにより、センサ10がONとなり、ON信号がシーケンサ部15の入力モジュール16に入力され、CPUモジュール15に情報が伝達される。センサー14は、遮光するものが無いため、ON信号が出力されない。CPUモジュール15は、この情報により搭載された厚み検出用トレイが30mm厚であることを認識し、出力モジュール17により、フィルター駆動部12を動作させ、厚みに相当したフィルターをプローブ11に被せる。
【００１７】
一方、60mm厚以下のトレイを検出する時は、両方のセンサがONとなり、ON信号がシーケンサ部15の入力モジュール16に入力され、CPUモジュール15に情報が伝達される。CPUモジュール15aは、この情報により、出力モジュール17により、フィルター駆動部12を動作させ、厚みに相当したフィルターをプローブ11に被せる。これにより、操作者に依存することなく、装置側で厚み検出及び厚み補正を行うことで、X線量不足の血液が患者に投与されることなく、より安全に照射することができるようになる。
【図面の簡単な説明】
【００１８】
【図１】厚み検出機能用トレイ外観構造図。
【図２】厚み検出機能ブロック図。
【符号の説明】
【００１９】
１  60mm厚用トレイ、２  30mm厚用トレイ、３  血液バッグ、３ａ  チューブ類、４  上蓋部、４ａ  外枠１、４ｂ  蓋、４ｃ  外枠２、５  ロック機構、５ａ  掛け金具、６  位置決めピン、７  トレイ部、７ａ  円筒部、７ｂ  底板、７ｃ  底枠、１０  センサ１受光側、１０ａ  センサ１投光側、１１  線量計プローブ、１２  フィルター駆動部、１２ａ  フィルター、１２ｂ  フィルター機構ベース、１４  センサ２受光側、１４ａ  センサ２投光側、１５  シーケンサ部、１５ａ  CPUモジュール、１６  入力モジュール、１７  出力モジュール、１８  照射室、２０  テーブル、２５  照射野、３０  タッチパネル(操作盤)
【図１】
2007132723.tif 000003
【図２】
2007132723.tif 000004